(57)【要約】【課題】  複数の機能に対してそれぞれの機能の操作画面を表示部において切り替えるための各入力手段を自動的に割り当てられるようにする。【解決手段】  この表示装置は、コピー、ドキュメントボックス、ファックス、プリンタ、スキャナー、ＳＤＫの各機能を搭載可能な画像形成装置本体３に備えられ、その各機能に割り当てた複数の画面切替ハードキーを有する入力部２と、その各画面切替ハードキーの入力によってそれぞれの機能の操作画面を表示部１０において切り替えて表示させ、制御部１が、入力部２から画面切替ハードキーの入力があると、それに対応する機能の操作画面を表示部１０で切り替えて表示させる制御と、画像形成装置本体３に搭載された機能が確定されたとき、その確定された各機能にそれぞれ各画面切替ハードキーのいずれかを任意に割り当てる制御を行う。【選択図】        図１
2007221188.tif 000002
【特許請求の範囲】
【請求項１】
複数の機能にそれぞれ割り当てた各入力手段の入力によってそれぞれの機能の操作画面を表示手段において切り替えて表示させる表示装置であって、
前記各入力手段に割り当てる全ての機能が確定されたとき、該確定された各機能にそれぞれ前記各入力手段のいずれかを任意に割り当てる制御手段を備えたことを特徴とする表示装置。
【請求項２】
前記制御手段は、前記確定された機能の数が前記各入力手段の数よりも多いとき、前記確定された複数の機能を組み合わせて前記いずれか１つの入力手段を割り当てる手段を有することを特徴とする請求項１記載の表示装置。
【請求項３】
複数の機能にそれぞれ割り当てた各入力手段の入力によってそれぞれの機能の操作画面を表示手段において切り替えて表示させる表示装置であって、
前記各入力手段に割り当てる全ての機能が確定されたとき、該確定された各機能にそれぞれ前記各入力手段から予め指定された入力手段を割り当てる制御手段を備えたことを特徴とする表示装置。
【請求項４】
複数の機能にそれぞれ割り当てた各入力手段の入力によってそれぞれの機能の操作画面を表示手段において切り替えて表示させる表示装置であって、
前記各入力手段に割り当てる全ての機能が確定されたとき、該確定された機能の数が前記各入力手段の数以下の場合、前記確定された各機能にそれぞれ前記各入力手段のいずれかを任意に割り当て、前記確定された機能の数が前記各入力手段の数を超えた場合、前記確定された各機能にそれぞれ前記各入力手段から予め指定された入力手段を割り当てる制御手段を備えたことを特徴とする表示装置。
【発明の詳細な説明】
【技術分野】
【０００１】
この発明は、画像形成装置を含む情報処理装置に適用される複数種類の機能（例えば、カスタマイズされたアプリケーションソフトウェアの処理によって実現される機能）に対応させた各キーの入力によってそれぞれの機能の操作画面を表示部で切り替えて表示させる表示装置に関する。
【背景技術】
【０００２】
従来、複数のハードキーを有し、そのいずれかが一定期間継続して押下された場合、そのハードキーを連続押下状態に移行する画像形成装置（例えば、特許文献１参照）があった。
このような画像形成装置には、操作部上の表示部において複数種類の機能の操作画面を切り替えて表示させるキー（「画面切替ハードキー」という）が設けられている。
例えば、図５に示す画像形成装置の操作部上に、コピーキー１１、ドキュメントボックスキー１２、ファックスキー１３、プリンタキー１４、スキャナーキー１５の各画面切替ハードキーが搭載されている。
コピーキー１１は、ＬＣＤを含む表示部１０において、コピーアプリケーションソフトウェアの実行によるコピー機能の操作画面に切り替えるキーである。
【０００３】
ドキュメントボックスキー１２は、表示部１０において、ドキュメントボックスアプリケーションソフトウェアの実行によるドキュメントボックス機能の操作画面に切り替えるキーである。
ファックスキー１３は、表示部１０において、ファックスアプリケーションソフトウェアの実行によるファックス機能の操作画面に切り替えるキーである。
プリンタキー１４は、表示部１０において、プリンタアプリケーションソフトウェアの実行によるプリンタ機能の操作画面に切り替えるキーである。
スキャナーキー１５は、表示部１０において、スキャナーアプリケーションソフトウェアの実行によるスキャナー機能の操作画面に切り替えるキーである。
また、操作部上には、上記各キーの他に、初期設定キー１６、リセットキー１７、余熱キー１８、割込キー１９、テンキー２０、クリア・ストップキー２１、スタートキー２２も搭載されている。
【０００４】
また、上記以外のアプリケーションソフトウェア、例えばソフトウェア・ディベロップメント・キット（Ｓｏｆｔｗａｒｅ  Ｄｅｖｅｌｏｐｍｅｎｔ  Ｋｉｔ：ＳＤＫ）アプリケーションソフトウェアや、連結子機アプリケーションソフトウェアがインストールされた場合は、固定的に既存の画面切替ハードキーと共有して利用していた。さらに、ＳＤＫアプリケーションソフトウェアの場合、インストール時に、図６に示すような割り当て先指定画面によって、ユーザが任意の画面切替キーに割り当てることができた。
【特許文献１】特開２００４−２２３９２２号公報
【発明の開示】
【発明が解決しようとする課題】
【０００５】
しかしながら、従来の技術では、搭載する機能毎に各画面切替ハードキーの割り当て作業を行っていたので、機能の種類を変更する度に煩雑な割り当て作業が発生するという問題があった。また、一つの画面切替ハードキーに複数のアプリケーションソフトウェアが割り当てられた場合には、その各機能についてはトグル操作で所望の画面に切り替えるか、図７に示す機能メニュー選択画面を表示して切り替えなければならず、例えば、コピー機能の操作画面を表示させるときにはコピーキー２３を、ＳＤＫ機能の操作画面を表示させるときにはＳＤＫキー２４を入力して切り替えなければならず、ユーザがよく使用する機能の場合には素早く画面を切り替えたくても操作が煩わしくなるという問題があった。
この発明は上記の点に鑑みてなされたものであり、複数の機能に対してそれぞれの機能の操作画面を表示部において切り替えるための各入力手段を自動的に割り当てられるようにすることを目的とする。
【課題を解決するための手段】
【０００６】
この発明は上記の目的を達成するため、次の表示装置を提供する。
（１）複数の機能にそれぞれ割り当てた各入力手段の入力によってそれぞれの機能の操作画面を表示手段において切り替えて表示させる表示装置であって、上記各入力手段に割り当てる全ての機能が確定されたとき、その確定された各機能にそれぞれ上記各入力手段のいずれかを任意に割り当てる制御手段を備えた表示装置。
（２）上記（１）の表示装置において、上記制御手段は、上記確定された機能の数が上記各入力手段の数よりも多いとき、上記確定された複数の機能を組み合わせて上記いずれか１つの入力手段を割り当てる手段を有する表示装置。
【０００７】
（３）複数の機能にそれぞれ割り当てた各入力手段の入力によってそれぞれの機能の操作画面を表示手段において切り替えて表示させる表示装置であって、上記各入力手段に割り当てる全ての機能が確定されたとき、その確定された各機能にそれぞれ上記各入力手段から予め指定された入力手段を割り当てる制御手段を備えた表示装置。
（４）複数の機能にそれぞれ割り当てた各入力手段の入力によってそれぞれの機能の操作画面を表示手段において切り替えて表示させる表示装置であって、上記各入力手段に割り当てる全ての機能が確定されたとき、その確定された機能の数が上記各入力手段の数以下の場合、上記確定された各機能にそれぞれ上記各入力手段のいずれかを任意に割り当て、上記確定された機能の数が上記各入力手段の数を超えた場合、上記確定された各機能にそれぞれ上記各入力手段から予め指定された入力手段を割り当てる制御手段を備えた表示装置。
【発明の効果】
【０００８】
この発明による表示装置は、複数の機能に対してそれぞれの機能の操作画面を表示部において切り替えるための各入力手段を自動的に割り当てることができる。
【発明を実施するための最良の形態】
【０００９】
以下、この発明を実施するための最良の形態を図面に基づいて具体的に説明する。
〔実施例１〕
図１は、この発明の実施例１〜４の表示装置の機能構成を示すブロック図である。
この表示装置は、例えば、コピー機能、ドキュメントボックス機能、ファックス機能、プリンタ機能、スキャナー機能、又はＳＤＫ機能のいずれか複数の機能を搭載可能な複合機を含む画像形成装置本体３に備えるものであり、その各機能にそれぞれ割り当てた各入力手段である複数の画面切替ハードキーを有する入力部２と、その入力部２の各画面切替ハードキーの入力によってそれぞれの機能の操作画面を表示手段である表示部１０において切り替えて表示させる装置である。上記表示部１０は、例えば、液晶タッチパネル式のＬＣＤを含む表示装置があり、そこに表示された操作画面への入力が可能である。
【００１０】
そして、ＣＰＵ，ＲＯＭ及びＲＡＭからなるマイクロコンピュータによって実現される制御部（「画面切替ハードキー割り当て制御部」ともいう）１が、入力部２から各画面切替ハードキーの入力があると、その入力された画面切替ハードキーに対応する機能の操作画面を表示部１０において切り替えて表示させる制御を行う。また、実施例１の表示装置として、画像形成装置本体３に搭載された機能の種類を調べ、各画面切替ハードキーに割り当てる全ての機能が確定されたとき、その確定された各機能にそれぞれ各画面切替ハードキーのいずれかを任意に割り当てる制御を行う制御手段の機能を果たす。
【００１１】
次に、実施例１の表示装置における画面切替ハードキーへの機能の割り当て処理について説明する。
まず、画像形成装置本体３には、例えば、コピー機能を実現するコピーアプリケーションソフトウェア、ドキュメントボックス機能を実現するドキュメントボックスアプリケーションソフトウェア、ファックス機能を実現するファックスアプリケーションソフトウェア、プリンタ機能を実現するプリンタアプリケーションソフトウェア、スキャナー機能を実現するスキャナーアプリケーションソフトウェア、ＳＤＫ機能を実現するＳＤＫアプリケーションソフトウェアが搭載可能である。以下の説明では上記６種類の機能について述べるが、その他の機能（例えば、連結子機アプリケーションソフトウェアなど）を搭載することもできる。
【００１２】
コピーアプリケーションソフトウェアは、コピーサービス（画像処理手段としての機能）を実現するためのアプリケーションプログラムである。コピーサービスとは、ハードウェア資源であるスキャナーエンジン（画像読取手段）に原稿の画像を読み取らせ、その画像データをハードウェア資源であるプロッタエンジン（画像形成手段）へ出力して画像形成を行わせるコピー動作を制御することである。
ドキュメントボックスプリケーションソフトウェアは、画像データを文書として蓄積し、必要に応じてファイル送信やプリント出力を行うことができるようにするドキュメントボックスサービスを実現するためのアプリケーションプログラムである。
【００１３】
ファックスアプリケーションソフトウェアは、ファックスサービス（画像処理手段としての機能）を実現するためのアプリケーションプログラムである。ファックスサービスとは、スキャナーエンジンに原稿の画像を読み取らせ、その画像データをファックスデータとして外部（ファックス装置又はファックス機能を有する画像処理装置）へ送信させるファックス送信動作、あるいは外部からのファックスデータを受信し、そのファックスデータを画像データとしてプロッタエンジンへ出力して画像形成を行わせるファックス受信動作を制御することである。
【００１４】
プリンタアプリケーションソフトウェアは、プリンタサービス（画像処理手段としての機能）を実現するためのアプリケーションプログラムである。プリンタサービスとは、外部装置（パーソナルコンピュータを含む上位装置）からのプリントデータを受信し、そのプリントデータを画像データとしてプロッタエンジンへ出力して（プリントデータが文字コードデータや描画データであればそれを画像形成用の画像データに変換する処理を行う）画像形成を行わせるプリント動作を制御することである。
【００１５】
スキャナーアプリケーションソフトウェアは、スキャナーサービス（画像処理手段としての機能）を実現するためのアプリケーションプログラムである。スキャナーサービスとは、スキャナーエンジン（画像読取手段）に原稿の画像を読み取らせ、その画像データをＲＡＭやハードディスク装置（ＨＤＤ）を含むメモリ（記憶部）に記憶させるスキャン動作を制御することである。
【００１６】
ＳＤＫ（Ｓｏｆｔｗａｒｅ  Ｄｅｖｅｌｏｐｍｅｎｔ  Ｋｉｔ）は、ソフトウェアを開発するために必要なライブラリやドキュメント、開発ツール、サンプル・コードなどをひとまとめにしたモジュール（アプリケーションプログラム）であり、ＯＳやパッケージ・アプリケーションなど、サードパーティ製ソフトウェアが呼び出し可能な拡張用インタフェースを持つソフトウェアが、それを基盤とするソフトウェアの開発をサポートするために用意される。
【００１７】
次に、例えば、画像形成装置本体３に、コピーアプリケーションソフトウェア、ドキュメントボックスアプリケーションソフトウェア、ＳＤＫアプリケーションソフトウェアの３種類のアプリケーションソフトウェアが搭載された場合の処理について示す。
まず、制御部１には、操作パネルの入力部２に搭載された各画面切替ハードキーとそれぞれに割り当てた機能との対応関係を示す画面切替ハードキー情報を事前にＲＡＭなどに記憶している。制御部１は、その画面切替ハードキー情報に基づいて入力部２のいずれかの画面切替ハードキーが入力されると、その画面切替ハードキーに割り当てた機能に対応する画像形成装置本体３に搭載されたいずれかのアプリケーションソフトウェアの実行による操作画面を表示部１０に切り替えて表示する。
【００１８】
例えば、図２の（ａ）に示すように、初期状態として、入力部２にコピー機能が割り当てられた画面切替ハードキーであるコピーキー１１、ドキュメントボックス機能が割り当てられた画面切替ハードキーであるドキュメントボックスキー１２、プリンタ機能が割り当てられた画面切替ハードキーであるプリンタキー１４、スキャナー機能が割り当てられた画面切替ハードキーであるスキャナーキー１５が搭載されている場合、その画面切替ハードキー情報が事前に記憶されており、制御部１は、画像形成装置本体３に搭載されているアプリケーションソフトウェアの種類を調べ、その種類の各アプリケーションソフトウェアが確定した時点で、その確定した各アプリケーションソフトウェアの機能に、入力部２の各画面切替ハードキーのいずれかを任意に割り当てる処理を開始する。
【００１９】
例えば、画像形成装置本体３にコピー機能、ドキュメントボックス機能、ＳＤＫ機能の各アプリケーションソフトウェアが搭載されたことが確定したとき、入力部２には既にコピーキー１１、ドキュメントボックスキー１２は存在するので、図２の（ｂ）に示すように、コピーキー１１、ドキュメントボックスキー１２はそのままの割り当てにし、ＳＤＫ機能は該当キーがないので、任意のキー、例えば、プリンタキー１４に割り当て、新たなＳＤＫ機能を割り当てた画面切替ハードキーのＳＤＫキー１４′とし、スキャナーキー１５にはなにも機能を割り当てずに空白のキーとし、その画面切替ハードキー情報に更新する。また、この割り当ては、任意の機能に任意の画面切替ハードキーを割り当てるようにしても良い。
【００２０】
ただし、上記変更がされた後に例えば主電源のオフ（ＯＦＦ）／オン（ＯＮ）された場合、次回の割り当てで異なるハードキーに割り当ててしまっては、ユーザにとっての操作性が悪くなるので、画面切替ハードキー情報を不揮発性メモリに記憶して保持した上で、画像形成装置本体３に搭載されるアプリケーションソフトウェアに変更が無ければ、前回と同様のハードキー割り当てを行う。
このようにして、ＳＤＫアプリケーションソフトウェアインストール時に実施していたユーザによる画面切替ハードキーへの割り当て作業が不要となるので、ユーザの操作性が改善される。
また、１つの画面切替ハードキーに、１つのアプリケーションソフトウェアを割り当てることにより、ユーザのアプリケーションソフトウェア切り替えの操作性をよくすることができる。
【００２１】
〔実施例２〕
次に、実施例２の表示装置は、実施例１に示した表示装置において、制御部１が上記確定された各機能の数が上記各入力手段の数よりも多いとき、上記確定された複数の機能を組み合わせて上記いずれか１つの入力手段を割り当てる手段の機能も果たす。
【００２２】
例えば、図３の（ａ）に示すように、初期状態として、入力部２にコピー機能が割り当てられた画面切替ハードキーであるコピーキー１１、ドキュメントボックス機能が割り当てられた画面切替ハードキーであるドキュメントボックスキー１２、ファックス機能が割り当てられた画面切替ハードキーであるファックスキー１３、プリンタ機能が割り当てられた画面切替ハードキーであるプリンタキー１４、スキャナー機能が割り当てられた画面切替ハードキーであるスキャナーキー１５が搭載されている場合、その画面切替ハードキー情報が事前に記憶されている。
【００２３】
さらに、事前条件として、１つの画面切替ハードキーに複数のアプリケーションソフトウェア割り当てが許可されているアプリケーションソフトウェアが、プリンタアプリケーションソフトウェアとスキャナーアプリケーションソフトウェアであり、ＳＤＫアプリケーションソフトウェアは複数のアプリケーションソフトウェア割り当てが禁止されている場合、制御部１は、画像形成装置本体３に搭載されているアプリケーションソフトウェアの種類を調べ、その種類の各アプリケーションソフトウェアが確定した時点で、その確定した各アプリケーションソフトウェアの機能に、入力部２の各画面切替ハードキーのいずれかを任意に割り当てる処理を開始する。
【００２４】
その際、上記確定された機能の数が入力部２に搭載された画面切替ハードキーの数よりも多いか否かを判断し、この場合は、確定された機能の数が６で、画面切替ハードキーの数が５であるから、確定された機能の数が入力部２に搭載された画面切替ハードキーの数よりも多いと判断し、図３の（ｂ）に示すように、コピーキー１１、ドキュメントボックスキー１２、ファックスキー１３はそのまま割り当て、プリンタキー１４は新たにＳＤＫ機能を割り当てた画面切替ハードキーとしてＳＤＫキー１４′とし、スキャナーキー１５はスキャナー機能と共にプリンタ機能も割り当てた画面切替ハードキーとしてプリンタキー１５′にも切り替え可能に割り当て、それらの画面切替ハードキー情報に更新する。
【００２５】
このように、ＳＤＫ機能にプリンタキーを割り当ててＳＤＫキーとし、残りのプリンタ機能とスキャナー機能とを組み合わせてスキャナーキーに割り当てることにより、画像形成装置本体３に搭載された全てのアプリケーションソフトウェアを入力部２のいずれかの画面切替ハードキーに割り当て完了となる。
このようにして、ユーザがよく利用するアプリケーションソフトウェアの画面切替操作を向上させることができる。
また、１つの画面切替ハードキーに、複数のアプリケーションソフトウェアを割り当てる場合のユーザのアプリケーションソフトウェア切り替えの操作性をよくすることができる。
【００２６】
〔実施例３〕
次に、実施例３の表示装置は、図１に示した表示装置の制御部１が、入力部２から各画面切替ハードキーの入力があると、その入力された画面切替ハードキーに対応する機能の操作画面を表示部１０において切り替えて表示させる制御を行う。また、実施例３の表示装置として、画像形成装置本体３に搭載された機能の種類を調べ、各画面切替ハードキーに割り当てる全ての機能が確定されたとき、その確定された各機能にそれぞれ各画面切替ハードキーからユーザによって予め指定された画面切り替えハードキーを割り当てる制御を行う制御手段の機能を果たす。
【００２７】
例えば、制御部１は、画像形成装置本体３に搭載されているアプリケーションソフトウェアの種類を調べ、コピー機能、ドキュメントボックス機能、ファックス機能、プリンタ機能、スキャナー機能、ＳＤＫ機能の各アプリケーションソフトウェアが確定した場合、表示部１０に、図４に示す割り当て先設定画面を表示し、割り当て元機能の一覧に、コピー機能を選択するコピーアイコン３０、ドキュメントボックス機能を選択するドキュメントボックスアイコン３１、ファックス機能を選択するファックスアイコン３２、プリンタ機能を選択するプリンタアイコン３３、スキャナー機能を選択するスキャナーアイコン３４、ＳＤＫ機能を選択するＳＤＫアイコン３５の各アイコンを選択可能に表示する。
【００２８】
また、割り当て先キーの一覧に、入力部２に既に搭載されている各画面切り替えハードキーであるコピーキー１１、ドキュメントボックスキー１２、ファックスキー１３、プリンタキー１４、スキャナーキー１５を表示し、例えば、割り当て元機能としてコピーアイコン３０を選択して、その機能を割り当てる割り当て先キーを任意に選択可能とする。例えば、コピーキー１１を選択すれば、コピーキー１１にはそのままコピー機能が割り当てられる。
【００２９】
このようにして、ユーザが画像形成装置本体３において確定された各機能に対して各画面切り替えハードキーの指定を行うことにより、制御部１がその各機能にそれぞれ指定された画面切替ハードキーを割り当てる処理を行い、その対応関係を示す画面切替ハードキー情報を記憶する。
こうして、画像形成装置本体３に搭載された各機能に、ユーザが意図した任意の画面切替ハードキーを割り当てられるので、ユーザの意図した通りの画面切替のキー配列にすることができる。
【００３０】
〔実施例４〕
次に、実施例４の表示装置は、図１に示した表示装置の制御部１が、入力部２から各画面切替ハードキーの入力があると、その入力された画面切替ハードキーに対応する機能の操作画面を表示部１０において切り替えて表示させる制御を行う。また、実施例４の表示装置として、画像形成装置本体３に搭載された可能の種類を調べ、各画面切替えハードキーに割り当てる全ての機能が確定されたとき、その確定された機能の数が各画面切替えハードキーの数以下の場合、上記確定された各機能にそれぞれ上記各画面切替えハードキーのいずれかを任意に割り当て、上記確定された機能の数が上記各画面切替えハードキーの数を超えた場合、上記確定された各機能にそれぞれ上記各画面切替えハードキーから予め指定された画面切替えハードキーを割り当てる制御を行う制御手段の機能を果たす。
【００３１】
例えば、入力部２にコピーキー、ドキュメントボックスキー、ファックスキー、プリンタキー、スキャナーキーの各キーが搭載されており、画像形成装置本体３にコピー機能、ドキュメントボックス機能、ファックス機能、プリンタ機能、スキャナー機能の各アプリケーションソフトウェアが搭載されたことが確定したときは、そのままの割り当てにして新たな割り当ての処理は不要である。
また、画像形成装置本体３に新たにＳＤＫアプリケーションソフトウェアが搭載されて確定した場合、入力部２に搭載された画面切替ハードキーの個数を搭載されたアプリケーションソフトウェアの個数が越えたために、まず最初に任意の画面切替ハードキーに割り当てるとよい。例えば、ドキュメントボックスキーにさらにＳＤＫ機能を割り当てる。
【００３２】
また、この時点で、実施例３で示したようなユーザの操作によって任意の画面切替ハードキーにＳＤＫ機能を割り当てるようにしてもよい。
このようにして、画面切替ハードキーの割り当ての必要性が発生した時点で、ユーザによる割り当て操作が可能になるので、不要なキー割り当てを行う必要が無くなる。
また、画面切替ハードキーの個数と画像形成装置本体に搭載するアプリケーションソフトウェアの個数によって、動的に割り当て方式を変更することにより、よりユーザの操作性をよくすることができる。
この発明の各実施例の表示装置は、画面切替ハードキーをカスタマイズ可能とすることにより、アプリケーションソフトウェア切替の操作性をよくすることができる。
【産業上の利用可能性】
【００３３】
この発明による表示装置は、デスクトップパソコン，ノートブックパソコンを含むパーソナルコンピュータにおいても適用することができる。
【図面の簡単な説明】
【００３４】
【図１】この発明の実施例１〜４の表示装置の機能構成を示すブロック図である。
【図２】この発明の実施例１の表示装置における画面切替ハードキーへの機能の割り当て処理の説明に供する図である。
【図３】この発明の実施例２の表示装置における画面切替ハードキーへの機能の割り当て処理の説明に供する図である。
【００３５】
【図４】この発明の実施例３の表示装置における画面切替ハードキーへの機能の割り当て処理の説明に供する図である。
【図５】従来の画像形成装置の操作部の上面図である。
【図６】従来の画像形成装置における割り当て先指定画面を示す図である。
【図７】従来の画像形成装置における機能メニュー選択画面を示す図である。
【符号の説明】
【００３６】
１：制御部    ２：入力部    ３：画像形成装置本体    １０：表示部    １１：コピーキー    １２：ドキュメントボックスキー    １３：ファックスキー    １４，１５′：プリンタキー    １４′：ＳＤＫキー    １５：スキャナーキー    １６：初期設定キー    １７：リセットキー    １８：余熱キー    １９：割込キー    ２０：テンキー    ２１：クリア・ストップキー    ２２：スタートキー    ２３：コピーキー    ２４：ＳＤＫキー    ３０：コピーアイコン    ３１：ドキュメントボックスアイコン    ３２：ファックスアイコン    ３３：プリンタアイコン    ３４：スキャナーアイコン    ３５：ＳＤＫアイコン
【図１】
2007221188.tif 000003
【図２】
2007221188.tif 000004
【図３】
2007221188.tif 000005
【図４】
2007221188.tif 000006
【図５】
2007221188.tif 000007
【図６】
2007221188.tif 000008
【図７】
2007221188.tif 000009